(57)【要約】【課題】天板の裏面を伝う煮汁が、機器本体の前面部に設けられる操作部に付着するのを抑制するガスコンロを提供する。【解決手段】炎口２５を有するコンロバーナ２と、コンロバーナ２を収納する機器本体１０と、機器本体１０の上面を覆う天板１１と、機器本体１０の前面部に設けられる操作部１７と、を備える。天板１１は、コンロバーナ２が挿通するバーナ挿通開口１１ａと、バーナ挿通開口１１ａの周縁が上方に隆起して形成される開口周縁部１２とを有する。バーナ挿通開口１１ａを挿通するコンロバーナ２と開口周縁部１２との間に形成される周縁間隙１１ｂより侵入した煮汁を受ける煮こぼれカバー４が機器本体１０内に設けられる。天板１１の下側で且つ操作部１７の上側の高さ位置に、天板１１の裏面１１ｃを伝う煮汁を受けて煮こぼれカバー４に誘導する誘導カバー５を備える。【選択図】図４
2015137808.tif 000002
【特許請求の範囲】
【請求項１】
炎口を有するコンロバーナと、
前記コンロバーナを収納する機器本体と、
前記機器本体の上面を覆う天板と、
前記機器本体の前面部に設けられる操作部と、を備え、
前記天板は、前記コンロバーナが挿通するバーナ挿通開口と、前記バーナ挿通開口の周縁が上方に隆起して形成される開口周縁部とを有し、
前記バーナ挿通開口を挿通する前記コンロバーナと前記開口周縁部との間に形成される周縁間隙より侵入した煮汁を受ける煮こぼれカバーが前記機器本体内に設けられてなるガスコンロであって、
前記天板の下側で且つ前記操作部の上側の高さ位置に、前記天板の裏面を伝う煮汁を受けて前記煮こぼれカバーに誘導する誘導カバーを備えることを特徴とするガスコンロ。
【請求項２】
カウンターに形成された開口部に上方より挿入されて設置されるドロップインコンロであって、
前記機器本体は、前記カウンター上に載置される鍔部を有し、
前記鍔部の前端部には、係合部が上方に切り起こして突設され、
前記誘導カバーの前端部には、下方に屈曲する係止部が設けられ、
前記誘導カバーの前記係止部が前記機器本体の前記係合部に係合して、前記誘導カバーが前記機器本体に止着されることを特徴とする請求項１記載のガスコンロ。
【発明の詳細な説明】
【技術分野】
【０００１】
本発明は、ガスコンロに関するものである。
【背景技術】
【０００２】
従来、天板のバーナ挿通開口からコンロバーナの炎口を天板上に臨むように突出させたガスコンロが知られている（例えば特許文献１参照）。この従来のガスコンロにおいては、主に天板の絞り成形等により、バーナ挿通開口の周縁が上方に隆起する開口周縁部が形成されている。
【０００３】
この従来のガスコンロにあっては、煮こぼれ等が発生して天板上に煮汁が落下しても、隆起する開口周縁部により、煮汁がバーナ挿通開口とコンロバーナの間に形成される周縁間隙から、ガスコンロの機器本体内に侵入するのが抑制される。
【０００４】
また、一部の煮汁が周縁間隙から機器本体内に侵入することが考えられるが、このような場合に備えて、周縁間隙から機器本体内に侵入した煮汁を受ける煮こぼれカバーを設けることで、煮汁が機器本体内に収納される機能部品にかかって故障するのが抑制される。
【先行技術文献】
【特許文献】
【０００５】
【特許文献１】特開２０１３−５７４６１号公報
【発明の概要】
【発明が解決しようとする課題】
【０００６】
上記従来のガスコンロにあっては、周縁間隙から機器本体内に侵入し、天板の裏面を伝って前方へ移動する煮汁が、機器本体の前面部に設けられる操作部に付着し、操作部が故障する惧れがある。
【０００７】
本発明は上記従来の問題点に鑑みて発明したものであって、その目的とするところは、天板の裏面を伝う煮汁が、機器本体の前面部に設けられる操作部に付着するのを抑制するガスコンロを提供することを課題とする。
【課題を解決するための手段】
【０００８】
上記課題を解決するために、本発明のガスコンロ１は、炎口２５を有するコンロバーナ２と、コンロバーナ２を収納する機器本体１０と、機器本体１０の上面を覆う天板１１と、機器本体１０の前面部１６に設けられる操作部１７と、を備え、天板１１は、コンロバーナ２が挿通するバーナ挿通開口１１ａと、バーナ挿通開口１１ａの周縁が上方に隆起して形成される開口周縁部１２とを有し、バーナ挿通開口１１ａを挿通するコンロバーナ２と開口周縁部１２との間に形成される周縁間隙１１ｂより侵入した煮汁を受ける煮こぼれカバー４が機器本体１０内に設けられてなるガスコンロ１であって、天板１１の下側で且つ操作部１７の上側の高さ位置に、天板１１の裏面１１ｃを伝う煮汁を受けて煮こぼれカバー４に誘導する誘導カバー５を備えることを特徴とする。
【０００９】
また、請求項２に係る発明にあっては、請求項１に係る発明において、カウンターに形成された開口部に上方より挿入されて設置されるドロップインコンロであって、機器本体１０は、前記カウンター上に載置される鍔部を有し、前記鍔部の前端部には、係合部１０ｄが上方に切り起こして突設され、誘導カバー５の前端部には、下方に屈曲する係止部５６が設けられ、誘導カバー５の係止部５６が機器本体１０の係合部１０ｄに係合して、誘導カバー５が機器本体１０に止着されることを特徴とする。
【発明の効果】
【００１０】
請求項１に係る発明にあっては、誘導カバーを備えるので、バーナ挿通開口の周縁から天板の裏面を伝って操作部上方に流れてきた煮汁が、誘導カバーに受け止められるため、煮汁が操作部に落下して操作部に不都合が生じることが防止される。
【００１１】
請求項２に係る発明にあっては、簡単に誘導カバーが機器本体の前面部の上端部に止着でき、しかも、係合部が鍔部となる上部の上面から上方に突設されるので、係合部がキッチンカウンターと干渉しない。
【図面の簡単な説明】
【００１２】
【図１】本発明の第１実施形態のガスコンロの全体斜視図である。
【図２】第１実施形態における天板を外したガスコンロの平面図である。
【図３】第１実施形態における天板を外したガスコンロの斜視図である。
【図４】図２におけるＡ−Ａ断面の一部拡大図である。
【発明を実施するための形態】
【００１３】
本発明の第１実施形態について図１乃至図４に基いて説明する。
【００１４】
ガスコンロ１は、図１に示すように、コンロバーナ２と、概ね箱状をし、内部に収納するコンロバーナ２の上部を上方に露出させる上開口（不図示）を有する機器本体１０と、機器本体１０の上面を覆う天板１１と、を備えるものである。
【００１５】
第１実施形態においては、ガスコンロ１は、図示しないが、キッチン等に設置されるカウンターに形成された開口部に上方より嵌入（挿入）されて設置されるドロップインコンロであるが、特にドロップインコンロに限定されず、コンロ台などに載置して設置されるテーブルコンロであってもよい。
【００１６】
第１実施形態においては、図４に示すように、機器本体１０は、カウンターの下側に位置する下部１０ａと、カウンターの厚み内に位置する中部１０ｂと、カウンターの上側に位置する鍔部となる上部１０ｃと、で構成されている。中部１０ｂの前端部は、下部１０ａおよび上部１０ｃの前端部よりも後側に位置している。上部１０ｃは、機器本体１０がカウンターに設置された状態で、カウンターの上面に載置される。
【００１７】
第１実施形態においては、コンロバーナ２として、図１に示すように、大火力バーナ２ａ、標準火力バーナ２ｂ、小火力バーナ２ｃの三個が設けてある。これら大火力バーナ２ａ、標準火力バーナ２ｂ、小火力バーナ２ｃは、基本的に同じ構造になっている。なお、コンロバーナ２の個数は三個に限定されず、一個、二個、四個以上でもよく、また、複数のコンロバーナ２の火力は同じでも異なってもよく、限定されない。コンロバーナ２は、その一部が、天板１１のバーナ挿通開口１１ａから天板１１上に露出する。
【００１８】
バーナ挿通開口１１ａの周縁には、図４に示すように、上方に隆起して形成される開口周縁部１２が形成される。天板１１は、第１実施形態においては鋼板が絞り成形されることで形成されているが、材質は特に鋼板に限定されず、絞り成形にも限定されない。
【００１９】
コンロバーナ２は、図４に示すように、混合室２１を有するバーナ本体２０と、バーナ本体２０の上に脱着自在で載設されるバーナキャップ３とを備え、機器本体１０内に収納される。
【００２０】
バーナ本体２０は、図４に示すように、内部に上下方向に貫通する貫通口２３を有する環状（例えば円環状）に形成され、その貫通口２３を通って燃焼用二次空気が供給されるようになっている。混合室２１は、内筒部２４を介して貫通口２３の周囲に形成されるもので、環状（例えば円環状）に形成されている。バーナ本体２０は、図２に示すように、例えば、アルミニウム等により形成され、混合管２２を混合室２１と一体に有しており、混合室２１は混合管２２に連通する。第１実施形態においては、バーナ本体２０は、機器本体１０に固定されるバーナ受け桟６に支持される。
【００２１】
バーナ本体２０は、混合管２２は先端に開口を有し、この開口に燃料としてのガス（生ガス）を吐出するガスノズル（不図示）が配置される。ガスノズルは、ガス供給路１８（図２等参照）の先端に設けられるもので、ガスノズルから生ガスが吐出されると、混合管２２の開口から一次空気が吸入されて、混合管２２内で生ガスと一次空気とが混合される。
【００２２】
バーナキャップ３は、図４に示すように、主体をなすキャップ本体３１と、キャップ筒部３２と、を備えている。キャップ本体３１およびキャップ筒部３２は、平面視において、内部に上下方向に貫通する貫通口３３を有する。
【００２３】
バーナ本体２０上にバーナキャップ３が載置されてなるコンロバーナ２は、図４に示すように、バーナキャップ３の下面とバーナ本体２０の上面との間に、主炎口および保炎口からなる平面視環状をした炎口２５が形成される。キャップ本体３１の下面には、内外方向を長手方向とし放射状に複数配置される主炎口用溝が凹設してあり、この主炎口用溝とバーナ本体２０との間に、主炎口が形成される。また、バーナキャップ３の主炎口用溝が形成されていない部分とバーナ本体２０との間に、保炎口が形成される。なお、第１実施形態におけるコンロバーナ２は、バーナ本体２０にバーナキャップ３が載置されて構成されているが、分割されているものに限定されない。
【００２４】
また、天板１１上には、五徳１３が載置してあり、五徳１３は、コンロバーナ２を囲むように設けてある。五徳１３に鍋底等の調理容器の底部が載置されることで、この調理容器を支持する。
【００２５】
また第１実施形態においては、図１〜図４に示すように、バーナキャップ３の上に、バーナカバー３４が設けてある。バーナカバー３４は、バーナキャップ３の上面を覆って、バーナキャップ３の上面に煮汁等が付着するのを防止するものである。バーナカバー３４には、中央部に温度センサー１４が挿通する挿通口が形成されている。なお、第１実施形態においては、バーナキャップ３にバーナカバー３４が設けられているが、バーナカバー３４は設けられなくてもよい。
【００２６】
またコンロバーナ２は、図１、図４に示すように、貫通口２３および貫通口３３に挿通され、調理容器の底部の温度を検知する温度センサー１４を備えている。温度センサー１４は、図４に示すように、貫通口２３、３３内に挿通される支持パイプ（不図示）と、支持パイプの上端に設けた感熱部（不図示）とを備えている。感熱部は、五徳１３の上面より高く配置され、五徳１３に載置される調理容器の底部に当接して、その温度を検出する。感熱部は、調理容器の底部により下方に押された際、下方に移動可能である。感熱部部によって検出される温度は、図示しないが、支持パイプ内に挿通されるリード線を介してマイクロコンピュータからなる制御部に入力され、制御部は、検出された温度に基いてコンロバーナ２の火力制御を行う。
【００２７】
機器本体１０内には、図１〜図３に示すように、グリルバーナを備えたグリル１５が収容される。グリル１５の前開口は、機器本体１０の前面に設けられたグリル扉１５ａによって開閉自在に閉塞される。ガスコンロ１の前面部１６を構成する前面パネルには、各バーナ（コンロバーナ２、グリルバーナ）を操作するための操作部１７が設けてある。操作部１７は、対応する各バーナの点火及び消火の切り替えや火力調節を指令するものであり、これを受けて制御部が各バーナの制御を行うと共に、バーナ毎に、調理タイマーモード、湯沸しモード、炊飯モード等の自動調理モードを設定できるようになっている。
【００２８】
各バーナには、図２〜図３に示すように、都市ガス等の燃料ガスを供給するガス供給路１８を介してガスが供給される。ガス供給路１８には、図示しないが、元電磁弁、流量制御弁、流量制御弁を駆動する駆動手段が設けられる。操作部１７を操作して制御部に点火の指令を送ると、制御部は、対応するガス供給路の元電磁弁を開き、流量制御弁を所定開度で開くと共に点火プラグ１９（図４参照）をスパークさせて点火させる。
【００２９】
本発明のガスコンロ１は、図４に示すように、バーナ挿通開口１１ａを挿通するコンロバーナ２と開口周縁部１２との間に形成される周縁間隙１１ｂから機器本体１０内に侵入した煮汁を受ける煮こぼれカバー４を備えるものである。
【００３０】
煮こぼれカバー４は、平面視において少なくとも周縁間隙１１ｂを含む部分に位置するもので、周縁間隙１１ｂを含む広範囲に位置するのが好ましい。これにより、周縁間隙１１ｂから機器本体１０内に侵入した煮汁を受けることができる。特に、煮こぼれにより調理容器より溢れた煮汁は、調理容器の側面を流下して下面を伝い、温度センサー１４の側面を流下して落下し、煮こぼれカバー４に受けられる。
【００３１】
煮こぼれカバー４は、図４に示すように、受けた煮汁を下方に排出する排出孔４１を備える。煮こぼれカバー４の煮汁を受ける上面（受け面）は、第１実施形態においては、受けた煮汁を排出孔４１に流れるように誘導する傾斜面を備える。
【００３２】
そして本発明のガスコンロ１は、天板１１の裏面１１ｃを伝う煮汁を受けて、煮こぼれカバー４に誘導する誘導カバー５を備える。誘導カバー５は、天板１１の下側で、且つ、操作部１７の上側の高さ位置に設けられる。第１実施形態においては、誘導カバー５は、機器本体１０の前面部１６の上端部に設けられている。
【００３３】
誘導カバー５は、開口又は端縁よりなる排出部５１が形成される。誘導カバー５には、排出部５１を最底部とする傾斜が形成されることが好ましい。第１実施形態においては、図４に示すように、カウンターの開口部の前側周縁部の上側に位置する天板１１の裏面１１ｃの下側に、略水平な前部５２が位置する。前部５２の後端部は、機器本体１０の中部１０ｂの前端部のすぐ後側に位置しており、後端部より下方に垂下する垂下部５３が設けられている。そして、垂下部５３の下端部から、末端が煮こぼれカバー４の上方にまで伸びる誘導部５４が設けられている。誘導部５４は、垂下部５３の下端部に位置する基端から、煮こぼれカバー４の上方に位置する末端にかけて、末端を最底部とする傾斜が形成されており、末端が排出部５１となる。更に、第１実施形態においては、排出部５１から垂下する水切り５５が設けられている。
【００３４】
本発明におけるガスコンロ１は、誘導カバー５を備えるので、バーナ挿通開口１１ａの周縁から天板１１の裏面１１ｃを伝って操作部１７上方に流れてきた煮汁が、誘導カバー５に受け止められる。その後、煮汁は誘導カバー５から煮こぼれカバー４に受けられて、煮こぼれカバー４に誘導されて、排出孔４１から排出される。このため、バーナ挿通開口１１ａの周縁から天板１１の裏面１１ｃを伝って操作部１７に落下して、操作部１７や、操作部１７を突出させる機器１７ａ（図４参照）に不都合が生じることが防止される。なお、排出孔４１の下方には、ガスコンロ１の機能部品（例えば制御部や駆動手段、特に電気機器）が配置されないようにすることが好ましい。
【００３５】
第１実施形態のガスコンロは、図３に示すように、ドロップイン式のガスコンロであり、上部１０ｃはカウンター上に載置される。そして、機器本体１０の上部１０ｃの前端部には、係合部１０ｄが上方に切り起こして突設されている。また、誘導カバー５の前端部には、下方に屈曲する係止部５６が設けられている。誘導カバー５の係止部５６が機器本体１０の係合部１０ｄに係合して、誘導カバー５が機器本体１０に止着される。
【００３６】
このように、係合部１０ｄと係止部５６の係合により、誘導カバー５が機器本体１０に固定されることで、簡単に誘導カバー５が機器本体１０の前面部１６の上端部に止着でき、しかも、係合部１０ｄが鍔部となる上部１０ｃの上面から上方に突設されるので、係合部１０ｄがキッチンカウンターと干渉しない。
【００３７】
また、第２実施形態として、図示しないが、誘導カバー５の機器本体１０への止着方法として、例えば、ねじ等によって導カバー５が機器本体１０の前面部１６の上端部付近に止着される構成としてもよい。
【符号の説明】
【００３８】
１    ガスコンロ
１０  機器本体
１０ａ  下部
１０ｂ  中部
１０ｃ  上部
１０ｄ  係合部
１１  天板
１１ａ  バーナ挿通開口
１１ｂ  周縁間隙
１１ｃ  裏面
１２  開口周縁部
１３  五徳
１４  温度センサー
１５ａ  グリル扉
１５  グリル
１６  前面部
１７  操作部
１７ａ  機器
１８  ガス供給路
１９  点火プラグ
２    コンロバーナ
２ａ  大火力バーナ
２ｂ  標準火力バーナ
２ｃ  小火力バーナ
２０  バーナ本体
２１  混合室
２２  混合管
２３  貫通口
２４  内筒部
２５  炎口
３    バーナキャップ
３１  キャップ本体
３２  キャップ筒部
３３  貫通口
３４  バーナカバー
４    煮こぼれカバー
４１  排出孔
５    誘導カバー
５１  排出部
５２  前部
５３  垂下部
５４  誘導部
５５  水切り
５６  係止部
６    バーナ受け桟
【図１】
2015137808.tif 000003
【図２】
2015137808.tif 000004
【図３】
2015137808.tif 000005
【図４】
2015137808.tif 000006